(57)【要約】【課題】ハウジング内部に於けるダンパ用スペースを拡大することなく、サスペンションの固着強度及びダンパ機能の向上が可能な多機能型振動アクチュエータを提供する。【解決手段】枠状サスペンションを用いた角形のダイナミック構造に於いて、枠状サスペンション−磁気回路部間の固着部間に、当該固着部よりも広い平面形状を有する緩衝材を挟んで枠状サスペンション及び磁気回路部の両部品を固着することで、全体的な厚み寸法の抑制とダンパ機能の強化とが可能になる。【選択図】  図３
2015046727.tif 000002
【特許請求の範囲】
【請求項１】
ボイスコイルを設けたダイアフラムを筒型形状からなるハウジングの端面に固着し、
枠状のサスペンションを用いて、マグネットを有する磁気回路部を当該ハウジング内壁に支持するダイナミック構造の多機能型振動アクチュエータであって、
前記枠状サスペンション−磁気回路部間の固着部間に、当該固着部よりも広い平面形状を有する緩衝材を挟んで固着した多機能型振動アクチュエータ。
【請求項２】
前記緩衝材が、接着剤である請求項１記載の多機能型振動アクチュエータ。
【発明の詳細な説明】
【技術分野】
【０００１】
本発明は、ボイスコイルを設けたダイアフラムによって構成した音響再生部をハウジング端面に固着し、マグネットを有する磁気回路部を当該ハウジング内壁に枠状サスペンションを介して支持することによって、前記音響再生部と磁気回路部とを対向配置させたダイナミック構造の多機能型振動アクチュエータに関する。
【０００２】
現在、多機能携帯電話に代表される移動体通信機器には、音響再生及び体感振動によって使用者に着信を知らせる着信報知機能が搭載されている。この様な着信報知機能を付与するデバイスのうち代表的なものとして、特表２００３−５１５４３５（以下特許文献１として記載）及び、特開２００５−２６９４９６（以下特許文献２として記載）に記載の多機能型振動アクチュエータが出願、公開されている。特許文献１及び２は共にボイスコイルを取りつけたダイアフラムを有する音響再生部と、マグネットを有する磁気回路部とを対向配置し、ボイスコイルへの入力周波数によって音響再生部と磁気回路部とを選択的に駆動するダイナミック構造を用いている。加えて、特許文献１記載の構造では、サスペンションと磁気回路部との間に弾性体を挟み、機械的共振に於ける急峻度を抑制したことをその技術的特徴としている。また、特許文献２は、サスペンションとカバーとの間に弾性変形可能な環状部材を設けることによって、体感振動発生時及び、落下等の衝撃を受けた際に於けるダンパ機能の付与を可能としている。
【先行技術文献】
【特許文献】
【０００３】
【特許文献１】特表２００３−５１５４３５号
【特許文献２】特開２００５−２６９４９６号
【発明の概要】
【発明が解決しようとする課題】
【０００４】
上述した技術的特徴及びそれによる効果を有している一方で、特許文献１及び２に記載の多機能型振動アクチュエータはその構造上、磁気回路部側面を包む筒型形状を有するハウジング内のスペースによって前記ダンパ機能による効果が制限されるという課題を有している。これは、特許文献１及び２に記載の多機能型振動アクチュエータが、弾性部材をブロック形状とすることでサスペンションを固着し、かつ前記ダンパ機能を向上していることによる。
【０００５】
即ち、特許文献１及び２に記載の多機能型振動アクチュエータでは、サスペンションの内周側底面のみを弾性体によって固着した構造または、弾性体によってサスペンションを挟んで固着した構造をその技術的特徴としている。この為、これらの多機能型振動アクチュエータは前記ハウジング内に於いてその搭載スペースを拡大することなく、ダンパ機能とサスペンションの固着強度とを共に向上させることが難しい。
【０００６】
上記課題を解決するために本願記載の発明では、磁気回路部側面を包む筒型形状を有するハウジング内部に於けるダンパ用スペースを拡大することなく、サスペンションの固着強度及びダンパ機能の向上が可能な多機能型振動アクチュエータの提供を目的としている。
【課題を解決するための手段】
【０００７】
上記目的のために本発明に於ける第１の態様では、ダイナミック構造の多機能型振動アクチュエータに於いて枠状サスペンションを用いて磁気回路部を支持し、当該枠状サスペンション−磁気回路部間の固着部に、当該固着部よりも広い平面形状を有する緩衝材を挟んで固着した構造をその技術的特徴としている。
【０００８】
また、本発明に於ける第２の態様では、前記第１の態様で述べた緩衝材として、接着剤を用いた事をその技術的特徴としている。
【発明の効果】
【０００９】
上述した構造を用いたことで本発明第１の態様記載の多機能型振動アクチュエータは、ハウジング内部のスペースを制限することなく、サスペンションの固着強度増加とダンパ機能の向上という効果を付与することができる。これは本願記載の構造に於いて、サスペンション固着部よりも板状の弾性部材の面積を広くした事による効果となっている。
【００１０】
より具体的には当該面積の拡大によって、サスペンションの枠状サスペンション−磁気回路部間に於けるサスペンション側対向面だけではなく、当該対向面に隣接するサスペンション側面をも弾性部材に固着することが可能となる。この為、固着箇所を増やしたサスペンションと固着面積を増やした磁気回路部によって、より強固な固着強度を付与することができる。更に、緩衝材を板状とすることで枠状サスペンション−磁気回路部間に於ける厚み方向の寸法拡大を抑えると共に、緩衝材の面積を拡大することによる磁気回路部側でのダンパ機能強化という効果をも得ることができる。また、本発明記載の多機能型振動アクチュエータが枠状サスペンションを用いた構造を用いている。この為、ハウジング内に収納する磁気回路部の容積を最大限確保することができる。
【００１１】
上記効果に加えて、前記緩衝材を設ける事によって枠状サスペンションに於ける特性上の非線形性を改善することが可能となる。より具体的には、枠状サスペンションが変位した際に生じる、引張力、圧縮力や捻れ力を逃がし、振動特性上に於ける変位と荷重との関係を直線関係にすることができる。この為、枠状サスペンションの非線形性に起因して生じる振動周波数特性の非対称性を緩和し、体感振動の発生時に於ける入力信号の周波数に対する応答の再現性を向上させることが可能となる。
【００１２】
更に、前記特性上の非線形性を改善することによって枠状サスペンションを用いた際に生じる共振周波数の変動を抑制することができる。より具体的には、枠状サスペンションを用いる事によって生じる、入力レベル毎に異なる共振周波数を示す振動特性について、各入力レベルを通して共振周波数のバラツキを抑え、入力レベルに関わらず一定の共振周波数で動作させることが可能となる。
【００１３】
また、上記構造に本発明第２の態様記載の内容を用いることによって、部品点数を増やすことなく、上述した効果を得ることができる。加えて、本態様では接着剤を緩衝材としても機能させる構造となる。この為、前記枠状サスペンション−磁気回路部間の固着について、間隔が狭い部分での固着と間隔が広い部分でのダンパ機能追加とを単一の工程で付与することが可能となる。
【００１４】
以上述べたように、本願請求項記載の構造を用いることによって、ハウジング内部に於けるダンパ用スペースを拡大することなく、サスペンションの固着強度及びダンパ機能の向上が可能な多機能型振動アクチュエータを提供することができる。
【図面の簡単な説明】
【００１５】
【図１】本発明の実施形態に於いて用いる多機能型振動アクチュエータの全体斜視図
【図２】本発明の実施形態に於いて用いる多機能型振動アクチュエータの分解斜視図
【図３】本発明の実施形態に於いて用いる多機能型振動アクチュエータの駆動部斜視図
【図４】図１の全体斜視図に於けるＡ−Ａ'及びＢ−Ｂ’での側断面図
【発明を実施するための形態】
【００１６】
以下に、図１、図２、図３及び図４を用いて、本発明に於ける最良の実施形態を示す。尚、図中の記号及び部品番号について、同じ部品として機能するものには共通の記号又は番号を付与している。
【００１７】
図１に本発明の最良の実施形態に於いて用いる多機能型振動アクチュエータの全体斜視図を、図２に分解斜視図を、図３に本実施形態に当該多機能型振動アクチュエータの駆動部斜視図を、そして図４に図１に於けるＡ−Ａ'及びＢ−Ｂ’での側断面図をそれぞれ示す。
【００１８】
図１から解るように、本実施形態で用いる多機能型振動アクチュエータは角形形状のハウジング５に同じく角形のダイアフラム３を設け、当該ダイアフラム中央にセンターキャップ２を固着すると共に、グリル１によってダイアフラム外周を保護している。この為、取付筐体への組込みに際して角形の平面形状によるスペース効率の向上が可能となっている。加えて、ダイアフラム３の中央にセンターキャップ２を設けたことでダイアフラムの非線形性を改善し、角形の平面形状でありながら歪みの低減された音響出力を提供することが可能となった。
【００１９】
また、図２及び図４から解るように、本実施形態で用いる多機能型振動アクチュエータはセンターキャップ２、ダイアフラム３及びボイスコイル４によって音響再生部を、磁性体からなるポールピース７及びヨーク１０によってマグネット８を挟み、ヨーク１０外周に分銅９を設けて磁気回路部を、それぞれ構成している。これらの音響再生部及び磁気回路部について、本実施形態では音響再生部をハウジング５の端面に固着し、緩衝材１１を介して磁気回路部を枠状サスペンション６に固着することで磁気回路部を、当該磁気回路部側面を包む筒型形状を有するハウジング５内壁に支持している。この為、本実施形態で用いる多機能型振動アクチュエータの駆動構造は、ポールピース−ヨーク間に形成された磁気空隙ｇにボイスコイル６を配置する角形のダイナミック構造を形成し、高い磁気効率によって追従性の良好な音響再生及び体感振動の発生を行うことが可能となった。
【００２０】
上記述べた基本構造及びそれによる効果に加えて、図２及び図３から解るように、本実施形態では緩衝材１１を介して磁気回路部を枠状サスペンション６に固着している。また、図３から解るように、緩衝材１１はサスペンション−ヨーク間の固着部よりも広い平面形状を有している。より具体的には、本実施形態はその技術的特徴として、緩衝材１１の平面形状を前記固着部よりも広く形成し、前記固着部の側面も含めて接着剤ｃによって緩衝材１１に固着した構造を有している。この為、前記固着部から緩衝材１１に歪みを伝達する際、充分な固着強度を維持すると共に、枠状サスペンション６の磁気回路側固着部をヨーク１０に対して弾性支持したことによって枠状サスペンション６の角部が受ける歪みを前記固着部を介して緩衝材１１へと逃がし、振動特性に於ける枠状サスペンションの非線形性を改善することで変位と荷重との関係を直線関係にすることができた。また、図４のＢ−Ｂ’断面図に示すように、本実施形態ではハウジング内壁にインサート成形した枠状サスペンション固着部ｐの一部を耐衝撃用のストッパとして用いており、落下等の衝撃時に於いて、ボイスコイル４と磁気回路部との接触を防ぐことが可能となっている。
【００２１】
更に、上記特性の変化による効果として枠状サスペンションの非線形性に起因して生じる振動周波数特性の非対称性を緩和し、体感振動の発生時に於ける入力信号の周波数に対する応答の再現性を向上させることが可能となった。より詳しくは、前記特性上の非線形性を改善することによって枠状サスペンションを用いた際に生じる共振周波数の変動を抑制し、入力レベルに関わらず一定の共振周波数で動作させることができた。
【００２２】
また、本実施形態と同じ技術的見地から、緩衝材１１として柔軟性のある接着剤を用いる事も可能となっており、上述した効果に加えて、部品点数の減少という効果を付与することができる。
【００２３】
以上述べたように、本願実施形態記載の構造を用いることによって、ハウジング内部に於けるダンパ用スペースを拡大することなく、サスペンションの固着強度及びダンパ機能の向上が可能な多機能型振動アクチュエータを提供することができた。
【符号の説明】
【００２４】
１  グリル
２  センターキャップ
３  ダイアフラム
４  ボイスコイル
５  ハウジング
６  枠状サスペンション
７  ポールピース
８  マグネット
９  分銅
１０  ヨーク
１１  弾性部材
１２  カバー
１３  接点端子
ｃ  接着剤
ｇ  磁気空隙
ｐ  サスペンションハウジング側固着部
【図１】
2015046727.tif 000003
【図２】
2015046727.tif 000004
【図３】
2015046727.tif 000005
【図４】
2015046727.tif 000006